(57)【要約】  本発明に係るネットワークデバイスは、ユーザ装置からソースコアネットワークに接続するための接続要求を受信する受信部と、前記ソースコアネットワークとは異なるターゲットコアネットワークとのユーザ装置の互換性を判定し、前記ユーザ装置が前記ターゲットコアネットワークと互換性がある場合、前記ユーザ装置が前記ターゲットコアネットワークに登録するための指示を生成する判定部を具備する。
2020523807.tif 000002
【特許請求の範囲】
【請求項１】
ユーザ装置からソースコアネットワークに接続するための接続要求を受信する受信部と、
前記ソースコアネットワークとは異なるターゲットコアネットワークとのユーザ装置の互換性を判定し、前記ユーザ装置が前記ターゲットコアネットワークと互換性がある場合、前記ユーザ装置が前記ターゲットコアネットワークに登録するための指示を生成する判定部を具備するネットワークデバイス。
【請求項２】
前記ユーザ装置との接続の接続解放メッセージを送信するようにさらに構成され、前記理由は、前記ターゲットコアネットワークに登録する指示を含む、請求項１に記載のネットワークデバイス。
【請求項３】
１つ以上の更新されたパラメータを送信するための前記ユーザ装置に対する指示を生成するようにさらに構成され、前記１つ以上の更新パラメータは、ユーザ装置ネットワーク互換性、所定のエリアの基地局の検索結果、またはトラッキングエリアアップデートの結果の少なくとも１つを含む請求項１または２に記載のネットワークデバイス。
【請求項４】
前記ユーザ装置から前記１つ以上の更新されたパラメータを受信し、前記１つ以上の更新されたパラメータに基づいて前記ターゲットコアネットワークを選択する無線アクセスネットワークをさらに具備する請求項３に記載のネットワークデバイス。
【請求項５】
前記受信部は、前記１つ以上の更新されたパラメータを受信する請求項１ないし４のいずれかに記載のネットワークデバイス。
【請求項６】
前記ネットワークデバイスは、ＡＭＦまたはＭＭＥとして構成される請求項１ないし５のいずれかに記載のネットワークデバイス。
【請求項７】
前記指示は、前記接続要求の拒否および理由を含み、前記理由は、前記ターゲットネットワークコアに登録する指示を含む、請求項１に記載のネットワークデバイス。
【請求項８】
前記ネットワークデバイスは、前記ユーザ装置をコアネットワークに接続するように構成される請求項１または７に記載のネットワークデバイス。
【請求項９】
前記ネットワークデバイスは、コアリソース分配デバイスカテゴリ内の前記ユーザ装置のメンバーシップに基づいて前記指示を生成するようにさらに構成され、前記コアリソース分配デバイスカテゴリは、ユーザ装置グループ識別、動的回線ネットワーク、ネットワークスライス、または特定のユーザ装置の少なくとも1つを含む請求項１ないし８のいずれかに記載のネットワークデバイス。
【請求項１０】
前記ネットワーク優先度値を登録して、前記ユーザ装置と前記ターゲットネットワークコアとの間の接続を維持するようにさらに構成される請求項１ないし９のいずれかに記載のネットワークデバイス。
【請求項１１】
前記ネットワーク優先度値内の前記ソースネットワークコアの優先度は、前記ターゲットネットワークコアと比較して低減されているか、又は除去されている請求項１０に記載のネットワークデバイス。
【請求項１２】
ソースネットワークコアへの接続のための接続要求をネットワークデバイスに送信し、
ターゲットネットワークコアとのユーザ装置の互換性を送信し、
前記ターゲットネットワークコアへの接続指示を受信し、
前記接続指示に従って前記ターゲットネットワークコアに接続するための接続要求を前記ネットワークデバイスに送信するように構成された１つ以上のプロセッサを含むユーザ装置。
【請求項１３】
ユーザ装置からソースコアネットワークに接続するための接続要求を受信し、
前記ソースコアネットワークとは異なるターゲットコアネットワークと前記ユーザ装置の互換性を判定し、
前記ユーザ装置が前記ターゲットコアネットワークと互換性がある場合、前記ユーザ装置が前記ターゲットコアネットワークに接続するための指示を生成するコアリソースの分配方法。
【請求項１４】
ソースネットワークコアへ接続するための接続要求をネットワークデバイスに送信し、
ターゲットネットワークコアとユーザ装置との互換性を送信し、
前記ターゲットネットワークコアへの接続指示を受信し、
前記接続指示に従って、前記ターゲットネットワークコアへの接続要求を前記ネットワークデバイスに送信するコアリソースの分配方法。
【請求項１５】
請求項１３または１４に記載の方法を１つまたは複数のプロセッサに実行させるように構成されるコンピュータ可読媒体。
【発明の詳細な説明】
【技術分野】
【０００１】
本開示における様々な実施形態は、一般に、無線アクセスネットワークとの通信に関する。
【背景技術】
【０００２】
無線アクセス技術ネットワーク上で複数のネットワークコアが利用可能である場合、１つ以上のユーザ装置を第１のネットワークコアから第２のネットワークコアに移行することによりコアリソースを分配することが望ましい場合がある。コアリソースの分配を実行する現在の方法は、成功しないか、望ましくない結果をもたらしている。
【発明の概要】
【課題を解決するための手段】
【０００３】
本明細書で開示するネットワークデバイスは、ユーザ装置から接続要求を受信するように構成される受信部と、ユーザ装置とターゲットコアネットワークの互換性を判断し、ユーザ装置がターゲットコアネットワークと互換性がある場合、ユーザ装置がターゲットコアネットワークに接続するための指示を生成するように構成される決定部を有する。
【図面の簡単な説明】
【０００４】
図面において、同様の参照文字は、一般に、異なる図を通して同じ部分を指す。図面は必ずしも縮尺どおりではなく、一般に開示の原則を説明することに重点が置かれている。以下の説明では、開示のさまざまな側面を以下の図面を参照して説明する。
【図１】4Ｇ／ＥＰＣネットワークと５Ｇ／５ＧＣネットワークを含む無線アクセス技術に接続するユーザ装置を示す。
【図２】４Ｇ／ＥＰＣネットワークへのアクティブな接続で無線アクセス技術に接続されたユーザ装置を示す。
【図３】５Ｇ／ＮｅｘｔＧｅｎ  Ｃｏｒｅネットワークへのアクティブな接続で無線アクセス技術に接続されたユーザ装置を示す。
【図４】本開示の第１の態様によるコアリソース分配の手順を示す。
【図５】本開示の第２の態様による、５Ｇネットワークへのコアリソース分配の手順を示す。
【図６】本開示の第３の態様による、５Ｇネットワークからのコアリソース分配の手順を示す。
【図７】本開示の第４の態様による、５Ｇネットワークからのコアリソース分配の手順を示す。
【図８】無線アクセスネットワークと2つのネットワークコアの構成を示す。
【図９】ネットワークデバイスの構成を示す。
【図１０】本開示の一態様によるコアリソース分配の方法を示す。
【図１１】本開示の別の態様によるコアリソース分配の方法を示す。
【発明を実施するための形態】
【０００５】
以下の詳細な説明は、開示を実施することができる特定の詳細および態様を例示として示す添付の図面を参照する。
【０００６】
本明細書において「例示的」という用語は、「例、事例、または実例として役立つ」ことを意味するために使用される。「例示的」として本明細書に記載される任意の実施形態または設計は、必ずしも他の実施形態または設計よりも好ましいまたは有利であると解釈されるべきではない。
【０００７】
本明細書および特許請求の範囲における「複数の」という用語は、明示的に1より大きい量を示す。したがって、前述の単語を明示的に用いるフレーズ（たとえば、「複数の（対象物））は、一つ以上の複数の対象物を明示的に参照する。「グループ」、「セット」、「集まり」、「一連の」、「シーケンス」、「グループ」などの単語が、本明細書および特許請求の範囲にある場合、１以上の量を示す。「適切なサブセット」、「削減されたサブセット」、および「より少ないサブセット」という用語は、セットに等しくないセットのサブセット、つまりセットよりも少ないエレメントを含むセットのサブセットを示す。
【０００８】
本明細書で使用される「回路」は、特殊用途のハードウェアまたはソフトウェアを実行するプロセッサを含み得る、あらゆる種類の論理実装エンティティとして理解される。したがって、回路は、アナログ回路、デジタル回路、混合信号回路、論理回路、プロセッサ、マイクロプロセッサ、中央処理装置（ＣＰＵ）、グラフィックス処理装置（ＧＰＵ）、デジタル信号プロセッサ（ＤＳＰ）、フィールドプログラマブルゲートアレイ（ＦＰＧＡ）、集積回路、特定用途向け集積回路（ＡＳＩＣ）など、またはそれらの任意の組み合わせであり得る。以下でさらに詳細に説明するそれぞれの機能の他の種類の実装も「回路」として理解することができる。本明細書で詳述する任意の2つ（またはそれ以上）の回路は、実質的に同等の機能を備えた単一回路として実現できることを理解されたい。また逆に、本明細書で詳述される任意の単一回路は、実質的に同等の機能を備えた2つ（またはそれ以上）の別個の回路として実現できることを理解されたい。さらに、「回路」という言葉は、集合的に単一の回路を形成する2つ以上の回路を指す場合がある。
【０００９】
本明細書で使用される「メモリ」は、検索のためにデータまたは情報を格納できる非一時的なコンピュータ可読媒体として理解され得る。したがって、本明細書における「メモリ」は、ランダムアクセスメモリ（ＲＡＭ）、読み取り専用メモリ（ＲＯＭ）、フラッシュメモリ、ソリッドステートストレージ、磁気テープ、ハードディスクドライブ、光学ドライブなど、またはそれらの任意の組み合わせを含む、揮発性または不揮発性メモリを指すと理解できる。さらに、レジスタ、シフトレジスタ、プロセッサレジスタ、データバッファなどもメモリという用語に含まれることが理解される。「メモリ」と呼ばれる単一のコンポーネントは、複数の異なるタイプのメモリで構成されてもよく、したがって、1つまたは複数のタイプのメモリを含む集合的なコンポーネントを示してもよい。単一のメモリコンポーネントは、集合的に等価な複数のメモリコンポーネントに分離でき、逆もまた同様であることが容易に理解される。さらに、メモリは（図面などで）1つまたは複数の他のコンポーネントとは別個に描かれてもよいが、メモリは、共通の統合チップなどの別のコンポーネント内に統合されてもよいことが理解される。
【００１０】
移動通信ネットワークのアクセスポイントに関して使用される用語「基地局」は、マクロ基地局、マイクロ基地局、ＮｏｄｅＢ、ｅｖｏｌｖｅｄ  ＮｏｄｅＢ（「ｅＮＢ」）、ホームｅＮｏｄｅＢ、リモートラジオヘッド（「ＲＲＨ」）、中継ポイントなどとして理解され得る。また「基地局」は、従来の基地局アーキテクチャ（分散型、「オールインワン」など）で実装された基地局、及び、集中基地局アーキテクチャ（例えば、クラウド無線アクセスネットワーク（「Ｃｌｏｕｄ−ＲＡＮ」）または仮想ＲＡＮ（「ｖＲＡＮ」））を含み得る。本明細書で使用されるように、電気通信関連の文章における「セル」は、基地局によってサービスされるセクタとして理解され得る。したがって、セルは、基地局の特定のセクタ化に対応する地理的に同じ場所に配置されたアンテナのセットであり得る。したがって、基地局は、1つまたは複数のセル（またはセクタ）にサービスを提供することができ、各セルは異なる通信チャネルによって特徴付けられる。さらに、「セル」という用語は、マクロセル、マイクロセル、フェムトセル、ピコセルなどのいずれかを指すために利用され得る。
【００１１】
本開示の目的のために、無線通信技術は、短距離無線通信技術、メトロポリタンエリアシステム無線通信技術、またはセルラーワイドエリア無線通信技術のうちの１つとして分類され得る。短距離無線通信技術には、Ｂｌｕｅｔｏｏｔｈ（登録商標）、ＷＬＡＮ（ＩＥＥＥ  ８０２．１１規格など）、およびその他の同様の無線通信技術が含まれる。メトロポリタンエリアシステムの無線通信技術には、マイクロ波アクセスの世界的な相互運用性（ＷｉＭａｘ）（例えば、ＩＥＥＥ  ８０２．１６無線通信規格、例えば、固定ＷｉＭａｘまたはモバイルＷｉＭａｘ）および他の同様の無線通信技術が含まれる。セルラーワイドエリア無線通信技術には、ＧＳＭ（登録商標）、ＵＭＴＳ、ＬＴＥ、ＬＴＥ−Ａｄｖａｎｃｅｄ（ＬＴＥ−Ａ）、Ｎｅｗ  Ｒａｄｉｏ（ＮＲ）、ＣＤＭＡ、ＷＣＤＭＡ（登録商標）、ＬＴＥ−Ａ、Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  ＤａｔａＧＳＭ  Ｅｖｏｌｕｔｉｏｎ（ＥＤＧＥ）、Ｈｉｇｈ  Ｓｐｅｅｄ  Ｐａｃｋｅｔ  Ａｃｃｅｓｓ（ＨＳＰＡ）、ＨＳＰＡ  Ｐｌｕｓ（ＨＳＰＡ  ＋）、およびその他の同様の無線通信技術が含まれる。セルラーワイドエリア無線通信技術には、マイクロセル、フェムトセル、ピコセルなどの「スモールセル」も含まれる。セルラーワイドエリア無線通信技術を一般に「セルラー」通信技術と呼ぶ場合がある。本明細書で詳述される例示的なシナリオは本質的に実証的であり、したがって、特に以下の例に関して開示されるような同様の特徴を共有する移動通信技術の場合、既存および未定の両方の様々な他の移動通信技術に同様に適用され得ることが理解される。
【００１２】
本明細書で利用される「ネットワーク」という用語、例えば移動通信ネットワークなどの通信ネットワークに関して、ネットワークのアクセスセクション（無線アクセスネットワーク（ＲＡＮ）セクションなど）とネットワークのコアセクション（コアネットワークセクションなど）の両方が含まれる。本明細書で移動端末に関して使用される「無線アイドルモード」または「無線アイドル状態」という用語は、移動通信ネットワークの少なくとも1つの専用通信チャネルが移動端末に割り当てられていない無線制御状態を示す。移動端末に関して使用される用語「無線接続モード」または「無線接続状態」は、移動端末が移動通信ネットワークの少なくとも1つの専用アップリンク通信チャネルを割り当てられている無線制御状態を示す。
【００１３】
明示的に指定されない限り、「送信する」という用語は、直接送信（ポイントからポイントへ）および間接送信（1つまたは複数の中間点を介する）の両方を包含する。同様に、「受信」という用語には、直接受信と間接受信の両方が含まれる。「通信する」という用語は、送信および受信の一方または両方、すなわち、着信方向および発信方向の一方または両方における単方向または双方向通信を包含する。
【００１４】
無線アクセス技術が開発されるにつれて、複数の無線アクセス技術がユーザ装置に同時に利用可能になり得る。新しい無線アクセス技術が開発され、以前の無線アクセス技術がまだ陳腐化の状態に達していない場合、ユーザ装置は両方の無線アクセス技術で動作するように構成される。さらに、無線アクセスネットワークでは、複数の無線アクセス技術へのアクセスを消費者に提供することが望ましい場合がある。そのため、単一の無線アクセスネットワークに接続されたユーザ装置が複数の無線アクセス技術を利用できることが一般的である。
【００１５】
５Ｇネットワークがより広く利用可能になるにつれて、消費者のユーザ装置は、４Ｇネットワーク、５Ｇネットワーク、またはその両方で動作するように構成され得ることが予想される。ユーザ装置が４Ｇと５Ｇの両方で動作できる場合、無線アクセスネットワークに接続されたユーザ装置は、４Ｇコアまたは５Ｇコアのいずれかにリンクできる。
【００１６】
例えば、４Ｇおよび５Ｇなどの複数のコアネットワークを提供するネットワークは、利用可能なリソース全体にユーザの要求をよりよく分散するため、定期的な負荷分散を必要とするか、特定のユーザーデバイス（スマートフォンデバイスなど）を5Gに接続したまま、他のデバイス（ＩｏＴデバイスなど）を４Ｇに移動することがある。つまり、４Ｇコアと５Ｇコアの両方が利用可能な場合、不均衡な数のユーザ装置が他のコアと比較して1つのコアに接続される可能性がある。同様に、接続されたデバイスには、1つのコアからの不均衡な数のリソースが必要になる場合がある。これが発生した場合、負荷分散によりユーザ装置またはコアに対する要求をより適切に分散することが望ましい場合がある。
【００１７】
４Ｇコアでの負荷分散の１つの既知の方法は、トラッキングエリアアップデート（「ＴＡＵ」）を必要とする。ＲＲＣ接続解放コマンドがユーザ装置に送信され、そのコマンドには、「loadBalancingTAURequired」の解放理由が含まれている。これは、ＲＲＣの解放後にＴＡＵを実行するようユーザ装置に通知する。ＲＡＮは、ＴＡＵに続いて新しいモビリティ管理エンティティ（ＭＭＥ）を選択する。特定の既知の方法では、ＭＭＥは「load-balancing  TAU  required」という理由でＲＲＣ接続の解放を開始する。ｅＮｏｄｅＢは「core  resource  distribution  TAU  required」という理由でＲＲＣ接続の解放を開始する。ＲＲＣの解放はユーザ装置において、ＲＲＣにＭＭＥコードなしで、ＴＡＵをトリガする。ｅＮｏｄｅＢは、ＴＡＵを受信した後、新しいＭＭＥを選択する。したがって、「load-balancing  TAU  required」コマンドによって新しいＭＭＥが選択される場合があるが、必ずしもシステムの変更に使用できるわけではない。つまり、追加の手順を実行しない限り、ＴＡＵ手順の結果として必ずしも別のシステムが選択されるとは限らない。
【００１８】
４Ｇと５Ｇとの間の負荷分散のための第２の既知の方法は、Ｎ１モードを無効にすることを伴う。この方法では、第３世代パートナーシッププロジェクト（３ＧＰＰ）技術仕様２４．５０１の条項４．９に基づくコマンドがユーザ装置によって送信され、そのコマンドはＮ１モード無線機能の無効化を要求するものである。シングル登録モードで動作するユーザ装置は、Ｎ１モード無線機能を無効にし、Ｅｖｏｌｖｅｄ  Ｐａｃｋｅｔ  Ｃｏｒｅの添付されたリクエストメッセージとトラッキングエリアアップデートリクエストメッセージにおけるユーザ装置ネットワーク機能情報エレメント（３ＧＰＰ技術仕様２４．３０１で詳細に説明）のＮ１モードビットを「Ni  mode  not  supported」に設定する。ユーザ装置の非アクセス層（ｎｏｎ−ａｃｃｅｓｓ  ｓｔｒａｔｕｍ）レイヤは、アクセス層レイヤにＮ１モードの無効化を示す。Ｎ１モードは、５Ｇ内で動作するユーザ装置の機能に対応しているため、Ｎ１モードを無効にすると、５Ｇが動作しなくなる。したがって、Ｎ１モードを無効にすると、４Ｇネットワークから５Ｇネットワークに負荷をシフトするのに効果的である。ただし、この方法を使用すると、ユーザ装置が再起動するか、パブリックランドモバイルネットワーク（ＰＬＭＮ）が選択されるまでＮ１ノードは有効にならない。これは好ましい状態ではない。注目すべきは、Ｎ１モードを無効にすると、ユーザ装置が後で４Ｇから５Ｇに再配布される可能性が低くなることである。
【００１９】
所定のＲＡＮに接続されたユーザ装置が４Ｇコアと５Ｇコアの両方を利用できる場合、負荷分散のための改善された手順を作成することが望ましい場合がある。以下の図は、本開示の様々な態様による負荷分散手順を説明する。
【００２０】
図１は、４Ｇ／ＥＰＣネットワークおよび５ＧＣネットワークを含む無線アクセス技術に接続されたユーザ装置を示す。この場合、ユーザ装置１０２は、所定のＲＡＴ１０４を動作させる無線アクセスネットワークに接続されている。ＲＡＴ１０４は、ＬＴＥ  ＲＡＴまたはＮＲ  ＲＡＴを含むが、これらに限定されない任意のＲＡＴであり得る。このＲＡＴは、第１のネットワーク１０６および第２のネットワーク１１０へのアクセスを有し得る。第１のネットワークは、４Ｇネットワークであってもよく、そのネットワーク接続は、Ｅｖｏｌｖｅｄ  Ｐａｃｋｅｔ  Ｃｏｒｅ１０６などのコアを通じて確立される。第２のネットワークは、５ＧＣネットワークであってもよく、そのネットワーク接続は、５Ｇ  Ｃｏｒｅ１１０を通じて確立される。第１のネットワークは、とりわけネットワーク内で様々なページングおよびシグナリング制御機能を実行することができるモビリティ管理エンティティ（「ＭＭＥ」）１０８をさらに含んでもよい。第２のネットワークは、アクセスおよびモビリティ管理機能（「ＡＭＦ」）ユニット１１２をさらに含むことができ、これは、ＵＥベースの認証、認可、モビリティ管理などの様々なモビリティ管理機能を含むことができる。ここでは、わかりやすく、参照しやすいように「第１のネットワーク」及び「第２のネットワーク」と言及するが、この順序に限定されるものではない。すなわち、ＲＡＴ１０４は、第１のネットワークおよび第２のネットワークに接続するように構成されてもよく、それにより、第１のネットワークは５Ｇネットワークであり、第２のネットワークは４Ｇネットワークであってもよい。
【００２１】
図２は、４Ｇ／ＥＰＣネットワークへのアクティブな接続をすると共に、無線アクセス技術に接続されたユーザ装置を示す。ユーザ装置２０２はＲＡＴ（この場合はＬＴＥ  ＲＡＴ２０４）に接続され、このＲＡＴ自体は４Ｇネットワーク（ＥＰＣとして表示）２０８または５Ｇネットワーク（ＮｅｘｔＧｅｎＣｏｒｅとして表示）２１０との接続を確立する可能性がある。この場合、ユーザ装置２０２は、破線で示されるように、ＬＴＥ  ＲＡＴ２０４を介して４Ｇ／ＥＰＣネットワーク２０８に接続されている。この図が示すように、ユーザ装置２０２は、４Ｇネットワーク２０８に現在接続またはサービスされている他のユーザ装置とともに、４Ｇネットワーク２０８に接続され、サービスされている。４Ｇネットワーク２０８が過負荷になった場合、またはその他の負荷分散の目的で要求される場合、ユーザ装置２０２は４Ｇネットワーク２０８から５Ｇネットワーク２１０に切り替えることができる。これはＬＴＥネットワーク２０４への直接接続を維持しながら実行することができる。
【００２２】
図３は、５Ｇ／ＮｅｘｔＧｅｎＣｏｒｅネットワーク３１０へのアクティブな接続をすると共に無線アクセス技術に接続されたユーザ装置を示す。この場合、ユーザ装置３０２は破線で示すように、５Ｇ／ＮｅｘｔＧｅｎＣｏｒｅ３１０に接続されたＬＴＥ  ＲＡＴ３０４に接続される。この構成によれば、ユーザ装置３０２は、５Ｇネットワーク３１０との間でサービスを提供するＬＴＥネットワーク３０４に接続されている。５Ｇネットワーク３１０は、５Ｇに現在接続されている他のデバイスとともにユーザ装置３０２にサービスを提供する。たとえば、コアリソースの分散を目的として、１つまたは複数のユーザ装置を５Ｇネットワーク３１０から４Ｇネットワーク３０８にオフロードする必要がある場合がある。
【００２３】
図４は、本開示の第１の態様による、コアリソース分配の手順を示している。この図に示すように、負荷分散の手順に従って、５Ｇ対応ユーザ装置４０２、無線アクセスネットワーク（ＲＡＮ）４０４、アクセス及びモビリティ管理機能（ＡＭＦ）エレメント４０６、モビリティ管理エンティティ（ＭＭＥ）４０８、およびホーム加入者サーバ（ＨＳＳ）／統合データ管理（ＵＤＭ）エレメント４１０を含むさまざまな通信エレメント間で通信が実行される。本開示の第１の態様では、ＭＭＥ４０８および／またはＡＭＦ４０６が、負荷分散４１２を適用することを決定する。ＡＭＦ４０６は、次のモビリティ登録を待つ。次に、ＵＥは登録要求４１４を送信する。ＡＭＦは登録要求を受け入れ（４１８）、応答はＲＡＮへのＲＡＴ／周波数選択優先度（ＲＦＳＰ）インデックスも搬送する（４２０）。その後、ＡＭＦはある理由（たとえば、理由=「システム間負荷分散が必要」）でＮ２接続を解放する（４２２）。上記理由は、適用される公開された規格内で現在見つかっていない新しい理由であってもよく、または、この目的のために特定された既存の理由を再利用してもよい。ＲＡＮは、「システム間負荷分散が必要」という理由でＲＲＣ接続を解放する（４２４）。上記理由も、適用される公開された規格内で現在見つかっていない新しい理由であってもよく、または、この目的のために特定された既存の理由を再利用してもよい。ユーザ装置のＲＲＣレイヤは、この理由に関して非アクセススペクトルレイヤに通知する。非アクセススペクトルレイヤは、マッピングされたＧｌｏｂａｌｌｙ  Ｕｎｉｑｕｅ  Ｔｅｍｐｏｒａｒｙ  Ｉｄｅｎｔｉｆｉｃａｔｉｏｎ（ＧＵＴＩ）を使用して、ターゲットシステム（ＥＰＳなど）でトラッキングエリアの更新を開始する。非アクセススペクトルレイヤは、ＲＲＣレイヤに対して、マッピングされたＧｌｏｂａｌｌｙ  Ｕｎｉｑｕｅ  ＭＭＥ識別子をＲＲＣ接続要求に含めないことを示す（４２６）。ＲＡＮは新しいＭＭＥを選択し、トラッキングエリアの更新をＭＭＥに送信する（４２８）。ＭＭＥは古いＡＭＦから（マッピングされたＧＵＴＩに基づいて）コンテキストを取得する（４３０）。前記コンテキストは、ＲＡＴ／周波数選択優先度インデックスを含んでもよい。ＭＭＥは、ロケーションをホーム加入者サービス／統合データ管理に更新する（４３２）。ホーム加入者サービス／統合データ管理は、ＡＭＦへの登録をキャンセルする（４３４）。ＭＭＥは、トラッキングエリアアップデートを受け入れ（４３６）、応答はＲＡＴ／周波数選択もインデックスをＲＡＮに運ぶ。ＲＡＮは、ユーザ装置がＥＰＣ内に留まるように、アイドルモードのキャンピング優先度とハンドオーバ制限を設定し、ＲＡＮは５Ｇへのシステム間ハンドオーバを開始しない。この方法を使用すると、ＲＡＴ／周波数選択優先度インデックスが設定され、ユーザ装置がアイドルモード中に正しいＲＡＴに留まり、ＲＡＮが古いシステムへのハンドオーバを実行しないことが保証される。ＡＭＦ／ＭＭＥは、ＵＤＭ／ＨＳＳからＲＡＴ／周波数選択優先度インデックスを取得する。
【００２４】
図５に本開示の第２の態様による、５Ｇネットワークへのコアリソース分配の手順を示す。この手順は、５Ｇ対応ユーザ装置５０２、ｅＮＢ５０４、ＭＭＥ５０６、およびＡＭＦ５０８の間の通信を含む。この手順では、５Ｇ対応ユーザ装置５０２が、接続要求５１０をＭＭＥ５０６に送信する。ＭＭＥは、負荷分散に従って、ユーザ装置を５Gネットワークに再ルーティングすることを決定する（５１０）。ＭＭＥは次に、５Ｇネットワークに登録するコマンドである拒否理由とともに、接続拒否５１２を５Ｇ対応ユーザ装置５０２に送信する。５Ｇ対応のユーザ装置５０２は、登録要求５１４をＡＭＦ５０８に送信する。
【００２５】
本開示の第２の態様によれば、本明細書で説明されるように、ユーザ装置を５Ｇコアにオフロードすることが決定される場合、ＭＭＥは、ユーザ装置の接続要求を拒否する。拒否に加えて、ユーザ装置が５Ｇコアへの登録を実行する必要があることを示す理由が含まれている。このような指示の後、ユーザ装置は５Ｇパラメータとともに５Ｇコアで登録手順を実行する。この手順では、現在公開されている標準に含まれていない新しい理由コードの定義が必要になる場合がある。
【００２６】
図６に本開示の第３の態様による、５Ｇネットワークからのコアリソース分配の手順を示す。この手順は、５Ｇ対応ユーザ装置６０２と、ｅＮＢ６０４、ＡＭＦ６０６、およびＭＭＲ６０８との間の通信を含む。この手順では、５Ｇ対応ユーザ装置６０２は、登録要求６１０をＡＭＦ６０６に送信する。ＡＭＦは、ユーザ装置をＥＰＣ６１２に再ルーティングする決定をする（６１２）。ＡＭＦ６０６は、ＥＰＣに登録する必要があるという拒否理由とともに、登録拒否６１４を５Ｇ対応ユーザ装置６０２に送信する。次に、５Ｇ対応のユーザ装置６０２は、接続要求６１６をＭＭＥ６０８に送信する。
【００２７】
本開示の第３の態様によれば、本明細書で説明するように、ユーザ装置をＥＰＣ（４Ｇ）にオフロードすることが決定されると、ＡＭＦはユーザ装置の登録要求を拒否する。拒否に加えて、ユーザ装置がＥＰＣへの接続手順を実行する必要があることを示す理由が含まれる。このような指示の後、ユーザ装置は、４ＧパラメータとともにＥＰＣへの接続手順を実行する。この手順では、現在公開されている標準に含まれていない新しい理由コードの定義が必要になる場合がある。
【００２８】
図７は、本開示の第４の態様による負荷分散の手順を示している。この図によれば、５Ｇ対応ユーザ装置７０２、ＲＡＮ７０４、およびＭＭＥ／ＡＭＦ７０６の間で通信が行われる。このケースでは、ＭＭＥ／ＡＭＦ７０６は負荷分散を反対側のコア７０８に適用することを決定する。つまり、５Ｇコアはユーザ装置を４Ｇコアに再分配するか、４Ｇコアはユーザ装置を５Ｇコアに再分配する。ＭＭＥ／ＡＭＦ７０６は、ユーザ装置グループＩＤ、接続スライスまたはスライスタイプ、専用コアネットワークＩＤ、1つまたは複数の特定のユーザ装置などの1つまたは複数のカテゴリに基づいて、５Ｇ／ＥＰＳに負荷分散を適用する（７１０）。５Ｇ対応ユーザ装置は、接続要求７１２をＲＡＮ７０４に送信し、ＲＡＮ７０４は、ＥＰＳが利用可能でなく、５Ｇが利用可能であること、またはその逆を示すＲＲＣ拒否７１４で応答する。次に、５Ｇ対応ユーザ装置７０２は、登録要求を代替ネットワーク、このケースではＭＭＥ／ＡＭＦ７１６に送信する。
【００２９】
図８は、本開示の一態様による無線ネットワークシステムを示し、前記システムは、第１のネットワークコア８０４に接続するための接続要求をユーザ装置から受信するように構成された無線アクセスネットワーク８０２と、無線アクセスネットワークからユーザ装置８０６からの接続要求を受信し、ユーザ装置と第２のネットワークコア８０８の互換性を判断し、ユーザ装置が第２のネットワークコア８０８と互換性がある場合、ユーザ装置８０６への第２のネットワークコア８０８に接続するための命令を生成するように構成された第１のネットワークコア８０４と、第１のネットワークコア８０４からユーザ装置８０６に対応するネットワーク優先度値を取得し、ユーザ装置８０６と第２のネットワークコア８０８との間の接続を維持するためにネットワーク優先度値を更新し、更新されたネットワーク優先度値を無線アクセスネットワーク８０２に送信するように構成された第２のネットワークコア８０８と、を備える。
【００３０】
図９は、本開示の一態様によるネットワークデバイス９００を示し、前記ネットワークデバイスは、ユーザ装置から接続要求を受信するように構成された受信部９０２と、ユーザ装置のターゲットコアネットワークとの互換性を決定し、ユーザ装置がターゲットコアネットワークと互換性がある場合、ユーザ装置がターゲットコアネットワークに接続するための命令を生成するように構成された判定部９０４と、を備える。
【００３１】
図１０は、ユーザ装置から接続要求を受信し（１００２）、ユーザ装置のターゲットコアネットワークとの互換性を判断し（１００４）、ユーザ装置がターゲットコアネットワークと互換性がある場合、ユーザ装置がターゲットコアネットワークに接続するための指示を生成する（１００６）ことを含むコアリソース分配の方法を示す。
【００３２】
ソースネットワークコアへの接続のための接続要求をネットワークデバイスに送信し、ターゲットネットワークコアとのユーザ装置互換性を送信し（１１０２）、ターゲットネットワークコアに接続する指示を受信し（１１０４）、指示に従って、ターゲットネットワークコアに接続するための接続要求をネットワークデバイスに送信する（１１０６）ことを含むコアリソース分配の方法が開示されている。
【００３３】
本明細書に記載される本開示の第３の態様によれば、負荷分散は積極的に実行され得る。そのため、ＭＭＥまたはＡＭＦが負荷分散を希望するときはいつでも、ＭＭＥまたはＡＭＦは、ＥＰＳ（４Ｇ）または５Ｇコアのいずれかで負荷分散を適用することをＲＡＮに通知する。ユーザ装置がＥＰＣなどのコアネットワークにサービスを要求すると、ＲＡＮはユーザ装置に、要求されたコアネットワーク（この場合はＥＰＣ）は利用できないが、別のコアネットワーク（この例では、５Ｇ）などがサービスに利用可能でであることを通知する。これには、新しい理由値によるＲＲＣ拒否が含まれてもよい。これを受信した後、ユーザ装置は他のネットワーク（この場合は５Ｇネットワーク）で登録要求を実行する。これには、ユーザ装置に既に割り当てられている、Ｇｌｏｂａｌｌｙ  Ｕｎｉｑｕｅ  Ｔｅｍｐｏｒａｒｙ  Ｉｄｅｎｔｉｆｉｃａｔｉｏｎ（ＧＵＴＩ）変換が含まれてもよい。
【００３４】
本開示の第１、第２、および第３の態様に従って説明された手順とは対照的に、この手順は、特定のユーザ装置、または特定のグループに属するすべてのユーザ装置で実行され得る。このようなグループには、ネットワークスライスにおける特定のＤｅｄｉｃａｔｅｄ  Ｃｏｒｅ  Ｎｅｔｗｏｒｋ上のデバイス、またはその他のユーザ装置グループが含まれるが、これらに限定されない。ＥＰＣ転送の場合、これにはＳ１構成内の新しいパラメータまたはＳ１−ＡＰの新しいメッセージタイプが必要になる場合がある。５Ｇでは、これは既存のＡＭＦリダイレクション手順（ＡＭＦロードリバランシングなど）を新しいパラメータで利用できる。
【００３５】
一般的な問題として、接続されたユーザ装置が第２のコアをサポートするとき、所定のコアが知っていると想定される。より具体的には、ＭＭＥは一般に、ユーザ装置が５Ｇコアもサポートしていることを認識し、ＡＭＦ（５Ｇの）はユーザ装置がＥＰＣ（４Ｇの）をサポートしていることを知っている。たとえば、ユーザ装置は、接続要求でＭＭＥに、Ｎ１モード（５Ｇ）をサポートすることを通知し、ユーザ装置は登録要求でＡＭＦに、Ｓ−１モード（４Ｇ）をサポートすることを通知する。この手順は、運用と保守および統合データ管理（Ｏｐｅｒａｔｉｏｎ  ＆  Ｍａｉｎｔｅｎａｎｃｅ  ａｎｄ  Ｕｎｉｆｉｅｄ  Ｄａｔａ  Ｍａｎａｇｅｍｅｎｔ）／ホーム加入者サービス（Ｈｏｍｅ  Ｓｕｂｓｃｒｉｂｅｒ  Ｓｅｒｖｉｃｅ）手順などによりトリガされてもよい。ユーザ装置がアイドルモードの場合、ネットワークは、ユーザ装置に指示を送信する前に、ユーザ装置が接続されるまで待機できてもよい。
【００３６】
本開示の一態様によれば、第1のネットワークコアは、第４世代無線システム（４Ｇ）コアまたは第５世代無線システム（５Ｇ）コアのいずれか一方であり、第２のネットワークコアは、４Ｇまたは５Ｇのいずれか他方であってよい。主要な無線アクセステクノロジー間の移行期間中には、複数のネットワークコアがユーザ装置で利用できると想定される。さらに、ユーザ装置は、複数のネットワークコア仕様に従って動作するように一般的に構成され得る。たとえば、４Ｇが市場で十分に確立されており、５Ｇが市場で出現している場合、４Ｇと５Ｇの両方のネットワークが利用できる移行フェーズが発生する可能性が高いといえる。そのようなネットワークは、４Ｇまたは５Ｇネットワークへの接続を容易にする単一のＲＡＮを介してユーザ装置からアクセスできる。
【００３７】
このような状況下では、ユーザ装置は、例えば、所定のネットワークとの互換性、または特定のネットワークへの優先性に基づいて、４Ｇネットワークまたは５Ｇネットワークのいずれかに割り当てられ得る。これらの要因はネットワーク容量を考慮していない可能性があるため、ユーザ装置の要求を利用可能なネットワークコア間でより適切に分散できるように、１つ以上のリソース分散メカニズムを実装することが必要または望ましい場合がある。
【００３８】
本明細書で説明される負荷分散方法および原理は、明確にするために、４Ｇおよび５Ｇネットワーク向けに記載されているが、ここで説明する原理と方法は、他のネットワーク設定にも適用でき、４Ｇおよび５Ｇネットワークに特に限定されない。本明細書で説明される原理および方法は、５Ｇネットワークに続くネットワークおよび／または４Ｇネットワークより前のレガシーネットワークに適用され得ることが予想される。
【００３９】
負荷分散手順が成功し、それによりユーザ装置が第1のネットワークコアとの接続または接続試行を中断させ、第２のネットワークコアとの接続を確立させる場合、第２のネットワークコアとの継続的な接続を促進するために一つ以上のステップを実行する必要がある。すなわち、ネットワークコアまたはＲＡＮからユーザ装置への、第１のネットワークコアに戻るという指示を回避することが望ましい場合がある。ネットワーク優先度の変更により、第２のネットワークコアへの継続的な接続を促進できる。ユーザ装置と、ＲＡＮまたはネットワークコアの少なくとも1つとの間の通信中に、ネットワーク優先度が送信され得ることが予想される。このネットワーク優先度は、１つまたは複数のネットワーク識別子と、そのネットワーク識別子の優先度とを含んでもよい。たとえば、４Ｇネットワークおよび５Ｇネットワークの場合、４Ｇネットワークの識別子は５Ｇネットワークの識別子とともにリストされ、そのような識別子は接続の優先度を与えるようにリストされる。本開示の一態様によれば、ネットワーク優先度は、ＲＡＴ／周波数選択インデックス（ＲＡＴ／Ｆｒｅｑｕｅｎｃｙ  Ｓｅｌｅｃｔｉｏｎ  Ｉｎｄｅｘ）であってもよい。負荷分散操作によってユーザ装置が第１のネットワークコアから第２のネットワークコアに移行する場合であって、両方のネットワークコアがネットワーク優先度内に存在する場合、第１のネットワークコアネットワークの優先度を削除するか、第１のネットワークコアの優先度を下げて第２のネットワークコアがより高い優先度を維持するようにする。このようにすることで、第１のネットワークコアに戻る可能性が低くなる。
【００４０】
本開示の一態様によれば、ＲＡＮは、トラッキングエリアアップデートに応じて第２のネットワークコアを選択することにより、負荷分散を支援することができる。これは、たとえば、ロードバランシング手順により、ユーザ装置が５Gネットワークコアから４Gネットワークコアに移行する場合に起こり得る。このような状況では、AMF（５G）は、４Gネットワークコアおよび／またはＲＲＣ接続とのＮ２（５Ｇ）接続を解放し、それにより、たとえば「システムコア間のリソースの分配が必要」との解放理由を提供できる。ここで提供される例は、現在公開されている仕様に含まれていないが、負荷分散を実行するために作成および/または利用できる新しい理由であり得る。このようなコマンドの提案されたテキストは、例として提供されているだけであり、テキストは必要に応じて変更してもよい。
【００４１】
Ｎ２接続またはＲＲＣ接続が解放され、ユーザ装置が、例えば「システム間の負荷分散が必要」などの理由を受信すると、ユーザ装置のＮＡＳ層は、ＧＵＴＩがマップされたターゲットシステム内でのトラッキングエリアアップデートを開始することができる。ＮＡＳ層は、ＲＲＣ接続要求にマッピングされたＧＵＭＭＥＩを含めないようにＲＲＣ層に示すことができる。ＲＡＮは、トラッキングエリアアップデート応答を受信し、新しいネットワークコアを選択する。新しいネットワークコアは、ＲＲＣ接続要求にＧＵＭＭＥＩがないこと、および/または負荷分散手順のＲＡＮによる知識に基づいて選択できる。
【００４２】
本開示の別の態様によれば、ユーザ装置は、第１のネットワークコアへの接続要求に応じて第２のネットワークコアにリダイレクト（ｒｅｄｉｒｅｃｔ）されてもよい。たとえば、４Ｇコアへ接続しようとするユーザ装置は、接続要求を送信し、それが５Ｇコアへの登録を実行する指示で拒否される場合がある。同様に、５Ｇコアに接続しようとするユーザ装置は、登録要求を送信し、それが４Ｇコアで接続手順を実行する指示で拒否される場合がある。これらの拒否には、ユーザ装置に負荷分散手順をアドバイスする理由が伴う場合がある。発行された仕様書内で理由が定義されていない場合、またはそれが望まれない場合、新しい理由コードが定義される場合がある。
【００４３】
本開示の別の態様によれば、負荷分散は、反応的または先を見越して実行され得る。反応的な実行は、接続要求に応じて実行される負荷分散を意味すると理解される。すなわち、負荷分散を実行する決定が行われると、ユーザ装置の第１のネットワークコアに接続する努力に応答して、ユーザ装置は第２のネットワークコアにリダイレクトされる。負荷分散の見込みは、必ずしも接続要求を待つことなく負荷分散をすることを意味すると理解される。すなわち、１つ以上のユーザ装置が第１のネットワークコアから第２のネットワークコアに移動されるべきであると決定され得る。前記１つまたは複数のユーザ装置は、一意のユーザ装置識別子またはグループ内のユーザ装置のメンバーシップによって特定されてもよい。前記グループには、ユーザ装置グループ識別、動的回路ネットワーク、ネットワークスライス、または特定のユーザ装置が含まれるが、これらに限定されない。すなわち、グループが負荷分散のためのグループとして識別される場合、そのグループのメンバーであるユーザ装置が確認され、各ユーザ装置は、開示の態様の１つに従って第２のネットワークコアに登録するように指示される。
【００４４】
なお、本明細書で説明される負荷分散手順は、Ｎ１モード機能を維持しながら実行され得る。上記で説明したように、５Ｇネットワークから４Ｇネットワークへの負荷分散切り替えをトリガする従来の方法は、ユーザ装置内のＮ１モード互換性を無効にする。５Ｇ接続にはＮ１モードの互換性が必要であるため、Ｎ１モードの互換性を無効にすると、ユーザ装置が５Ｇネットワークで通信できなくなる。この場合、ユーザ装置は４Ｇコアなどの別のネットワークコアへの接続を余儀なくされる。これに関連する欠点のため、Ｎ１互換性を維持しながら負荷分散を実行することが望まれている。本明細書で説明される方法および手順は、1つの互換性が維持されている間に実行されることが予想される。
【００４５】
ユーザ装置は、１つ以上の更新されたパラメータをネットワークデバイスに送信するように促されてもよい。それは、ネットワークデバイスによる明示的な要求、接続要求の拒否、または接続の解放が理由であってもよい。
【００４６】
１つ以上の更新されたパラメータは、ＥＰＳ更新タイプ、ＮＡＳキーセット識別子、以前のＧＵＴＩ、ＧＰＲＳ暗号化キーシーケンス番号、以前のＰ−ＴＭＳＩ署名、追加のＧＵＴＩ、ＵＥのネットワーク機能、最後にアクセスした登録済みＴＡＩ、ＤＲＸパラメータ、ＥＰＳベアラコンテキストステータス、ＭＳネットワーク機能、以前のロケーションエリアＩＤ、１つ以上のサポートされているコーデック、１つ以上のデバイスプロパティ、またはそれらの任意の組み合わせを含み得る。本開示の一態様によれば、１つまたは複数の更新されたパラメータは、トラッキングエリアアップデートを介して実行され得る。
【００４７】
本明細書のデバイスおよび方法は、４Ｇコアおよび５Ｇコアに関して説明されているが、４Ｇおよび５Ｇとの関係は、例示のみを目的として提示されている。本明細書で説明されるデバイスおよび方法は、制限内で他の無線アクセス技術に適用され得ることが含まれる。
【００４８】
これらのコアリソース分配方法および手順は、本明細書に記載の動作のいずれかを１つまたは複数のプロセッサに実行させるように構成されたコンピュータ可読媒体によって実行され得る。
【００４９】
以下の例は、本開示の１つ以上の追加の態様として提供される。
【００５０】
実施例１では、ユーザ装置から接続要求を受信するように構成された受信部と、ユーザ装置とターゲットコアネットワークの互換性を判定し、ユーザ装置がターゲットコアネットワークと互換性がある場合、ユーザ装置がターゲットコアネットワークに登録するための指示を生成するように構成された判定部を備えるネットワークデバイスが開示されている。
【００５１】
実施例２では、実施例１に開示されるネットワークデバイスであって、ユーザ装置との接続の接続解放メッセージを送信するようにさらに構成されるネットワークデバイスが開示されている。
【００５２】
実施例３では、実施例２に開示されるネットワークデバイスであって、接続解放メッセージには理由が含まれ、その理由にはターゲットコアネットワークに登録するための要件が含まれているネットワークデバイスが開示されている。
【００５３】
実施例４は、実施例１に開示されるネットワークデバイスであって、１つ以上の更新されたパラメータを送信するためのユーザ装置に対する指示を生成するようにさらに構成されるネットワークデバイスが開示されている。
【００５４】
実施例５は、実施例４に開示されるネットワークデバイスであって、１つ以上の更新パラメータには、ユーザ装置のネットワーク互換性が含まれているネットワークデバイスが開示されている。
【００５５】
実施例６は、実施例４又は５に開示されるネットワークデバイスであって、１つ以上の更新パラメータには、所定のエリアを有する基地局の検索結果が含まれているネットワークデバイスが開示されている。
【００５６】
実施例７は、実施例４から６のいずれかに開示されるネットワークデバイスであって、１つ以上の更新パラメータには、エリア更新のトラッキングの結果が含まれているネットワークデバイスが開示されている。
【００５７】
実施例８は、実施例４から７のいずれかに開示されるネットワークデバイスであって、ユーザ装置から１つ以上の更新されたパラメータを受信し、１つ以上の更新されたパラメータに基づいてターゲットコアネットワークを選択するように構成される無線アクセスネットワークをさらに備えるネットワークデバイスが開示されている。
【００５８】
実施例９は、実施例８に開示されるネットワークデバイスであって、１つ以上の更新されたパラメータをターゲットコアネットワークに転送するようにさらに構成されるネットワークデバイスが開示されている。
【００５９】
実施例１０は、実施例１から９のいずれかに開示されるネットワークデバイスであって、受信部は、１つ以上の更新されたパラメータを受信するようにさらに構成されるネットワークデバイスが開示されている。
【００６０】
実施例１１は、実施例１から１０のいずれかに開示されるネットワークデバイスであって、受信部が１つ以上の更新されたパラメータを受信するようにさらに構成されるネットワークデバイスが開示されている。
【００６１】
実施例１２は、実施例１から１０のいずれかに開示されるネットワークデバイスであって、ＭＭＥとして構成されるネットワークデバイスが開示されている。
【００６２】
実施例１３は、実施例１に開示されるネットワークデバイスであって、指示が接続要求の拒否および理由を含むネットワークデバイスが開示されている。
【００６３】
実施例１４は、実施例１３に開示されるネットワークデバイスであって、理由は、ターゲットネットワークコアに登録する指示を含むネットワークデバイスが開示されている。
【００６４】
実施例１５は、実施例１に開示されるネットワークデバイスであって、ユーザ装置をコアネットワークに接続するように構成されるネットワークデバイスが開示されている。
【００６５】
実施例１６は、実施例１から１５のいずれかに開示されるネットワークデバイスであって、コアリソース分配デバイスカテゴリ内のユーザ装置のメンバーシップに基づいて指示を生成するようにさらに構成されるネットワークデバイスが開示されている。
【００６６】
実施例１７は、実施例１６に開示されるネットワークデバイスであって、コアリソース分配デバイスカテゴリが、ユーザ装置グループ識別、動的回路ネットワーク、ネットワークスライス、または特定のユーザ装置のうちの少なくとも１つを含む、ネットワークデバイスが開示されている。
【００６７】
実施例１８は、実施例１又は１５から１７のいずれかに開示されるネットワークデバイスであって、無線アクセスネットワークデバイスであるネットワークデバイスが開示されている。
【００６８】
実施例１９は、実施例１から１８のいずれかに開示されるネットワークデバイスであって、別のネットワークデバイスから送信されたネットワーク優先度値を受信するようにさらに構成されるネットワークデバイスが開示されている。
【００６９】
実施例２０は、実施例１９に開示されるネットワークデバイスであって、別のネットワークデバイスはＡＭＦまたはＭＭＥであるネットワークデバイスが開示されている。
【００７０】
実施例２１は、実施例２０に開示されるネットワークデバイスであって、ネットワーク優先度値を登録して、ユーザ装置とターゲットネットワークコアとの間の接続を維持するようにさらに構成されるネットワークデバイスが開示されている。
【００７１】
実施例２２は、実施例２０又は２１に開示されるネットワークデバイスであって、ネットワーク優先度値は、無線アクセス技術／周波数選択優先度識別であるネットワークデバイスが開示されている。
【００７２】
実施例２３は、実施例２０又は２１に開示されるネットワークデバイスであって、ネットワーク優先度値内のソースネットワークコアの優先度がターゲットネットワークコアと比較して低減されるか、または除去されるネットワークデバイスが開示されている。
【００７３】
実施例２４は、実施例１から２３のいずれかに開示されるネットワークデバイスであって、ターゲットネットワークコアへの接続中にユーザ装置内でＮ１モード能力を維持するようにさらに構成されるネットワークデバイスが開示されている。
【００７４】
実施例２５は、実施例１から２４のいずれかに開示されるネットワークデバイスであって、第４世代無線システムネットワークコアであるネットワークデバイスが開示されている。
【００７５】
実施例２６は、実施例１から２４のいずれかに開示されるネットワークデバイスであって、第５世代無線システムネットワークコアであるネットワークデバイスが開示されている。
【００７６】
実施例２７は、ソースネットワークコアへの接続のための接続要求をネットワークデバイスに送信し、ターゲットネットワークコアとのユーザ装置の互換性を送信し、ターゲットネットワークコアへの接続指示を受信し、指示に従ってターゲットネットワークコアに接続するための接続要求をネットワークデバイスに送信するように構成された１つ以上のプロセッサを含むユーザ装置が開示されている。
【００７７】
実施例２８は、実施例２７に開示されるユーザ装置であって、１つまたは複数の更新されたパラメータをネットワークデバイスに送信するようにさらに構成されるユーザ装置が開示されている。
【００７８】
実施例２９は、実施例２８に開示されるユーザ装置であって、１つ以上の更新されたパラメータは、所定のエリアを有する基地局の検索の１つ以上の結果を含むユーザ装置が開示されている。
【００７９】
実施例３０は、実施例２８又は２９に開示されるユーザ装置であって、指示に従って更新手順を実行するようにさらに構成されるユーザ装置が開示されている。
【００８０】
実施例３１は、実施例２７から３０のいずれかに開示されるユーザ装置であって、指示に従って、ソースネットワークコアを省略するようにトラッキングエリアアップデートを修正して、修正されたトラッキングエリアアップデートをネットワークデバイスへ送信するようにさらに構成されるユーザ装置が開示されている。
【００８１】
実施例３２は、ユーザ装置から接続要求を受信し、ユーザ装置とターゲットコアネットワークの互換性を判断し、ユーザ装置がターゲットコアネットワークと互換性がある場合、ユーザ装置がターゲットコアネットワークに接続するための指示を生成することを含む、コアリソースの分配方法が開示される。
【００８２】
実施例３３は、ソースネットワークコアへの接続のための接続要求をネットワークデバイスに送信し、ターゲットネットワークコアとのユーザ装置の互換性を送信し、ターゲットネットワークコアへの接続指示を受信し、指示に従ってターゲットネットワークコアに接続するための接続要求をネットワークデバイスに送信することを含む、コアリソースの分配方法が開示される。
【００８３】
実施例３４は、１つまたは複数のプロセッサに実施例３０または３１の方法を実行させるように構成されたコンピュータ可読媒体が開示されている。
【００８４】
実施例３５は、接続解放メッセージは理由を含み、理由は、負荷バランシング動作を実行するための要件を含む、実施例２のネットワークデバイスが開示されている。
【００８５】
上記の実施例のいずれかの特徴の１つまたは複数は、他の実施例のいずれかと組み合わせることができることに留意されたい。
【００８６】
特定の態様について説明したが、添付の特許請求の範囲によって定義される本開示の態様の趣旨および範囲から逸脱することなく、形態および詳細の様々な変更を行うことができることを当業者は理解すべきである。したがって、権利範囲は添付の特許請求の範囲によって示され、特許請求の範囲の均等の意味および範囲内にあるすべての変更は、包含されることを意図している。
【図１】
2020523807.tif 000003
【図２】
2020523807.tif 000004
【図３】
2020523807.tif 000005
【図４】
2020523807.tif 000006
【図５】
2020523807.tif 000007
【図６】
2020523807.tif 000008
【図７】
2020523807.tif 000009
【図８】
2020523807.tif 000010
【図９】
2020523807.tif 000011
【図１０】
2020523807.tif 000012
【図１１】
2020523807.tif 000013
【国際調査報告】
2020523807.tif 000014
2020523807.tif 000015
2020523807.tif 000016